(57)【要約】      （修正有）【課題】居住者が住戸内を不在としているタイミングであっても、住戸外からの書込作業を可能とする。【解決手段】玄関子機１ａのカメラ１０１にて撮像され、コード読取部１０６ａにて読取られる二次元コードに含まれる更新プログラムデータを子機記憶部１０７ａ及び／又は居室親機２ａの親機記憶部２０６ａに書込む。また、更新プログラムデータの書込動作期間内であることの報知を居室親機のモニタ２０１に表示させるともに、親機操作部２００の操作機能を無効とする。また、更新プログラムデータのデータ容量が大きく、例えば、分割された当該データが含まれる複数の二次元コードは、コード結合部１０８ａにて結合化させる。さらに、更新プログラムデータの書込動作が終了したことを、書込終了通知部１０９ａの制御により通知する。【選択図】図２
2013201630.tif 000002
【特許請求の範囲】
【請求項１】
住戸外に居る来訪者が住戸内に在室中の居住者を呼出すために所定の呼出操作を行う子機操作部（１００）、前記来訪者の映像を撮像して映像信号を生成するためのカメラ（１０１）、前記来訪者が前記居住者との間で通話を成立させるための音声信号を送受信する子機マイク（１０２）及び子機スピーカ（１０３）を有する玄関子機（１ａ、１ｂ）と、前記来訪者による前記玄関子機からの呼出しに前記居住者が応答するための親機操作部（２００）、前記玄関子機の前記カメラにて生成された前記映像信号を出画するためのモニタ（２０１）、前記居住者が前記来訪者との間で通話を成立させるための前記音声信号を送受信する親機マイク（２０２）及び親機スピーカ（２０３）を有する居室親機（２ａ、２ｂ）とから構成されるテレビインターホンシステムであって、
前記玄関子機及び前記居室親機のうち何れかは、当該システムをメンテナンス等するための更新プログラムデータが含まれた二次元コードを読取るコード読取部（１０６ａ、２１１ｂ）と、前記コード読取部にて読取られた前記二次元コードに含まれる更新プログラムデータを書込むための記憶部（１０７ａ、１０７ｂ、２０６ａ、２０６ｂ）とを備えることを特徴とするテレビインターホンシステム。
【請求項２】
前記居室親機は、前記記憶部への書込動作が終了するまでの書込動作期間内において、データ書込中であることの報知を前記モニタに表示させるための表示制御部（２０７ａ、２０７ｂ）と、前記書込動作期間内において前記親機操作部の操作機能を非能動とするための操作機能無効部（２０８ａ、２０８ｂ）とを備えることを特徴とする請求項１記載のテレビインターホンシステム。
【請求項３】
前記玄関子機及び前記居室親機のうち何れかは、前記コード読取部にて複数の当該二次元コードが読取られているとき、前記コード読取部にて読取られた前記複数の当該二次元コードを結合化し、前記結合化された当該二次元コードに含まれる更新プログラムデータを前記記憶部に書込むためのコード結合部（１０８ａ、２１２ｂ）を備えることを特徴とする請求項１又は請求項２記載のテレビインターホンシステム。
【請求項４】
前記玄関子機及び前記居室親機のうち何れかは、前記記憶部への書込動作が終了したことを通知するための書込終了通知部（１０９ａ、２１３ｂ）を備えることを特徴とする請求項１乃至請求項３のうち何れか１項記載のテレビインターホンシステム。
【発明の詳細な説明】
【技術分野】
【０００１】
本発明は、玄関子機からの呼出しに居室親機が応答して通話を成立させるとともに、玄関子機にて撮像される映像を居室親機に出画することができるテレビインターホンシステムに係り、特に、当該システムをメンテナンス等するための更新プログラムデータの書込作業を行うテレビインターホンシステムに関する。
【背景技術】
【０００２】
従来から、この種のテレビインターホンシステムをメンテナンス等するにあたり、更新プログラムデータの書込みを行うには、例えば、居室親機を設置場所から取外した後、機器内部に備えられるＲＯＭを、更新プログラムデータが予め記憶された新規なＲＯＭに取換える必要があった。このように、設置場所からの取外しが必要であり、所定のメモリを備えた機器としては、特許文献１に記載の壁面設置型宅内通信機器が開示されている。
【先行技術文献】
【特許文献】
【０００３】
【特許文献１】特開２００３−３６４８７号公報
【発明の概要】
【発明が解決しようとする課題】
【０００４】
しかしながら、従来例のような書込作業を行うにあたっては、ＲＯＭの取換えの前提として居室親機を設置場所から取外す必要があるため、居住者が住戸内に在室中であるタイミングに限定されてしまい、不在の場合には書込作業ができない難点があった。
【０００５】
本発明は、この難点を解消するためになされたもので、居住者が住戸内を不在としているタイミングであっても、住戸外からの書込作業が可能なテレビインターホンシステムを提供することを目的としている。
【課題を解決するための手段】
【０００６】
前述の目的を達成するため、本発明の第１の態様であるテレビインターホンシステムは、住戸外に居る来訪者が住戸内に在室中の居住者を呼出すために所定の呼出操作を行う子機操作部、来訪者の映像を撮像して映像信号を生成するためのカメラ、来訪者が居住者との間で通話を成立させるための音声信号を送受信する子機マイク及び子機スピーカを有する玄関子機と、来訪者による玄関子機からの呼出しに居住者が応答するための親機操作部、玄関子機のカメラにて生成された映像信号を出画するためのモニタ、居住者が来訪者との間で通話を成立させるための音声信号を送受信する親機マイク及び親機スピーカを有する居室親機とから構成される当該システムである。玄関子機及び居室親機のうち何れかは、当該システムをメンテナンス等するための更新プログラムデータが含まれた二次元コードを読取るコード読取部と、コード読取部にて読取られた二次元コードに含まれる更新プログラムデータを書込むための記憶部とを備えている。
【０００７】
このような態様のテレビインターホンシステムによれば、玄関子機のカメラにて撮像され、コード読取部にて読取られる二次元コードに含まれる更新プログラムデータを記憶部に書込むことができる。これにより、居住者が住戸内を不在としているタイミングであっても、住戸外からの書込作業が可能となる。
【０００８】
また、本発明の第２の態様であるテレビインターホンシステムは、本発明の第１の態様において、居室親機は、記憶部への書込動作が終了するまでの書込動作期間内において、データ書込中であることの報知をモニタに表示させるための表示制御部と、書込動作期間内において親機操作部の操作機能を非能動とするための操作機能無効部とを備えている。
【０００９】
このような態様のテレビインターホンシステムによれば、更新プログラムデータの書込動作期間内でることの報知が居室親機のモニタに表示されるばかりでなく、親機操作部の操作機能が非能動となるため、居住者が住戸内に在室中であっても、この居住者による応答操作や監視モニタ操作等が無効となり、住戸外からの書込作業を阻害せずに継続させることができる。
【００１０】
また、本発明の第３の態様であるテレビインターホンシステムは、本発明の第１の態様又は第２の態様において、玄関子機及び居室親機のうち何れかは、コード読取部にて複数の当該二次元コードが読取られているとき、コード読取部にて読取られた複数の当該二次元コードを結合化し、結合化された当該二次元コードに含まれる更新プログラムデータを記憶部に書込むためのコード結合部を備えている。
【００１１】
このような態様のテレビインターホンシステムによれば、更新プログラムデータのデータ容量が大きく、例えば、分割された当該データが含まれる複数の二次元コードをコード読取部にて順次読取る場合であっても、読取られた複数の二次元コードをコード結合部にて結合化させることで、データ容量が大きい更新プログラムデータの書込みが容易となる。
【００１２】
また、本発明の第４の態様であるテレビインターホンシステムは、本発明の第１の態様乃至第３の態様のうち何れか１の態様において、玄関子機及び居室親機のうち何れかは、記憶部への書込動作が終了したことを通知するための書込終了通知部を備えている。
【００１３】
このような態様のテレビインターホンシステムによれば、書込作業を行う例えば、システム業者は、更新プログラムデータの書込動作が終了したことの確認が容易となり、他物件の書込作業へ迅速に移行できる等、利便性が高められる。
【発明の効果】
【００１４】
本発明のテレビインターホシステムによれば、玄関子機のカメラにて二次元コードを撮像させ、この二次元コードに含まれる更新プログラムデータの書込みを行うことで、居住者が住戸内を不在としているタイミングであっても、住戸外からの書込作業が可能となり、その作業を行う例えば、システム業者にとっては、更新プログラムデータが書込まれる記憶部を備える機器を設置場所から取外したり記憶部を取換える必要がないため、利便性が高められる。
【図面の簡単な説明】
【００１５】
【図１】図１は、本発明の第１、第２の実施例によるテレビインターホンシステムの全体構成を示すシステム説明図である。
【図２】図２は、本発明の第１の実施例によるテレビインターホンシステムの具体的な構成を示すブロック図である。
【図３】図３は、本発明の第２の実施例によるテレビインターホンシステムの具体的な構成を示すブロック図である。
【発明を実施するための形態】
【００１６】
以下、本発明のテレビインターホンシステムを適用した実施の形態例について、図面を参照して説明する。
【００１７】
図１は、本発明の第１、第２の実施例によるテレビインターホンシステムの全体構成を示すシステム説明図である。このテレビインターホンシステムには、住戸外（屋外）の例えば、住戸玄関に設置される玄関子機（以下、第１、第２の玄関子機という。）１ａ、１ｂと、住戸内に設置され子機／親機ラインＬを経由して第１、第２の玄関子機１ａ、１ｂに接続される居室親機（以下、第１、第２の居室親機という。）２ａ、２ｂとから構成されている。
【００１８】
同図に示す第１、第２の玄関子機１ａ、１ｂには、子機操作部１００、カメラ１０１、子機マイク１０２及び子機スピーカ１０３が備えられている。この玄関子機１ａ、１ｂにおいて、子機操作部１００は、住戸外に居る来訪者が住戸内に在室中の居住者を呼出すための所定の呼出操作を行うとともに、例えば、メンテナンス業者が当該システムをメンテナンス等するための更新プログラムデータを書換えるにあたって、前述の呼出操作とは異なる所定の書込起動操作やコード結合操作等を行うものであり、例えば、呼出ボタンにて構成されている。また、カメラ１０１は、被写体である例えば、所定の呼出操作を行った来訪者の映像（住戸玄関の周囲環境下の映像を含む。）を撮像して映像信号を生成するとともに、所定の書込起動操作を行ったメンテナンス業者により開示される更新プログラムデータが含まれた、例えば、約４ＫＢ（キロ・バイト）が最大のデータ容量とされるＱＲコード（登録商標）や約２００Ｂ（バイト）が最大のデータ容量とされるＭａｘｉＣｏｄｅ（登録商標）等の各種の二次元コードを撮像するためのものであり、ＣＣＤ、ＣＭＯＳ等の各種の映像撮像媒体にて構成されている。さらに、子機マイク１０２及び子機スピーカ１０３は、来訪者が居住者との間で通話を成立させるための音声信号を送受信するものである。
【００１９】
また、同図に示す第１、第２の居室親機２ａ、２ｂには、親機操作部２００、モニタ２０１、親機マイク２０２及び親機スピーカ２０３が備えられている。この居室親機２ａ、２ｂにおいて、親機操作部２００は、来訪者からの呼出しに居住者が応答し、親機マイク２０２及び親機スピーカ２０３の使用による通話を開始する応答操作又は当該通話を終了するための終話操作や、第１、第２の玄関子機１ａ、１ｂのカメラ１０１の使用による映像撮像機能及び子機マイク１０２の使用による音声入力機能をそれぞれ能動とし、住戸玄関の周囲近傍の状況を映像及び音声の出力で監視するための監視モニタ操作等を行うものであり、例えば、通話ボタンやモニタ２０１の画面上に設けられるタッチパネルにて構成されている。また、モニタ２０１は、第１、第２の玄関子機１ａ、１ｂのカメラ１０１にて生成される映像信号等を出画するためのものであり、例えば、ＬＣＤ、有機ＥＬディスプレイ等の各種表示・出画媒体にて構成され、このモニタ２０１は、通常、来訪者による玄関子機１ａ、１ｂからの呼出しを報知するための呼出報知機能も有している。さらに、親機マイク２０２及び親機スピーカ２０３は、居住者が来訪者との間で通話を成立させるための音声信号を送受信するものである。なお、親機スピーカ２０３は、通常、来訪者による玄関子機１ａ、１ｂからの呼出しを報知するための呼出報知機能も有している。
【００２０】
次に、本発明の第１の実施例であって、子機／親機ラインＬを経由して接続される第１の玄関子機１ａ及び第２の居室親機２ａの具体的な構成について、図２のブロック図を参照して説明する。
【００２１】
図２に示す第１の玄関子機１ａには、前述の子機操作部１００、カメラ１０１、子機マイク１０２及び子機スピーカ１０３と、子機映像処理部１０４ａ、子機音声処理部１０５ａ、コード読取部１０６ａ、子機記憶部１０７ａ、コード結合部１０８ａ、書込終了通知部１０９ａ、子機ＣＰＵ１１０ａ及び子機Ｉ／Ｆ（インターフェース）１１１ａとが備えられている。
【００２２】
この玄関子機１ａにおいて、子機映像処理部１０４ａは、カメラ１０１にて生成されフレーム毎に伝送されてくる映像信号について所定の信号処理を行う、例えば、ＦＭ変調や信号増幅を行うためのものである。また、子機音声処理部１０５ａは、子機マイク１０２及び子機スピーカ１０３にて送受信される音声信号について所定の信号処理を行う、例えば、ＦＭ変復調や信号増幅を行うためのものである。
【００２３】
コード読取部１０６ａは、カメラ１０１にて撮像される二次元コードを読取るためのものである。また、子機記憶部１０７ａは、コード読取部１０６ａにて読取られた二次元コードに含まれる更新プログラムデータを一時的に記憶するとともに、自玄関子機用の当該更新プログラムデータとして書込むためのものであり、例えば、ＲＡＭ、ＥＥＰＲＯＭ等の各種メモリにて構成されている。また、コード結合部１０８ａは、コード読取部１０６ａにて複数の当該二次元コードが読取られているとき、当該コード読取部にて読取られた複数の当該二次元コードを結合化し、結合化された当該二次元コードに含まれる更新プログラムデータを子機記憶部１０７ａに記憶させるためのものである。さらに、書込終了通知部１０９ａは、子機記憶部１０７ａ及び第１の居室親機２ａの後述する親機記憶部２０６ａのうち少なくとも何れか１の当該記憶部への書込動作が終了したことの通知として、例えば、子機スピーカ１０３から確認音や音声メッセージ等を出力させるためのものである。
【００２４】
子機ＣＰＵ１１０ａは、当該玄関子機の構成各部を制御するためのものである。この子機ＣＰＵ１１０ａの内部には、前述のコード結合部１０８ａが備えられている。なお、コード結合部１０８ａは、子機ＣＰＵ１１０ａの内部に備えられる態様に限定されるものではなく、子機ＣＰＵ１１０ａから独立させてコード読取部１０６ａの出力側に設けることもできる。
【００２５】
子機Ｉ／Ｆ１１１ａは、子機映像処理部１０４ａから子機／親機ラインＬへの信号伝送路と、子機音声処理部１０５ａ及び子機／親機ラインＬの間の信号伝送路（通話路）と、子機ＣＰＵ１１０ａ及び子機／親機ラインＬの間の信号伝送路とをそれぞれ形成するためのものである。
【００２６】
また、同図に示す第１の居室親機２ａには、前述の親機操作部２００、モニタ２０１、親機マイク２０２及び親機スピーカ２０３と、親機映像処理部２０４ａ、親機音声処理部２０５ａ、親機記憶部２０６ａ、表示制御部２０７ａ、操作機能無効部２０８ａ、親機ＣＰＵ２０９ａ及び親機Ｉ／Ｆ２１０ａとが備えられている。
【００２７】
この居室親機２ａにおいて、親機映像処理部２０４ａは、子機／親機ラインＬを経由して第１の玄関子機１ａからフレーム毎で伝送されてくる映像信号について所定の信号処理を行う、例えば、ＦＭ復調や信号増幅を行い、第１の玄関子機１ａのカメラ１０１にて生成された映像信号をモニタ２０１に出画させるためのものである。また、親機音声処理部２０５ａは、親機マイク２０２及び親機スピーカ２０３にて送受信される音声信号について所定の信号処理を行う、例えば、ＦＭ変復調や信号増幅を行うためのものである。
【００２８】
親機記憶部２０６ａは、第１の玄関子機１ａのコード読取部１０６ａにて読取られた二次元コードに含まれる更新プログラムデータ又はコード結合部１０８ａにて結合された複数の二次元コードに含まれる更新プログラムデータが自居室親機用の当該更新プログラムデータであるとき、子機ＣＰＵ１１０ａの制御により子機記憶部１０７ａから読出され、子機／親機ラインＬを経由して伝送されてくる当該更新プログラムデータを書込むためのものであり、例えば、ＲＡＭ、ＥＥＰＲＯＭ等の各種メモリにて構成されている。
【００２９】
表示制御部２０７ａは、第１の玄関子機１ａの子機記憶部１０７ａ及び親機記憶部２０６ａのうち少なくとも何れか１の当該記憶部への書込動作が終了するまでの書込動作期間内において、データ書込中であることの報知、例えば、確認メッセージや絵データ等をモニタ２０１に表示させるためのものである。
【００３０】
操作機能無効部２０８ａは、前述の書込動作期間内において親機操作部２００の操作機能を非能動とするためのものである。
【００３１】
親機ＣＰＵ２０９ａは、当該居室親機の構成各部を制御するためのものである。この親機ＣＰＵ２０９ａの内部には、前述の操作機能無効部２０８ａが備えられている。なお、操作機能無効部２０８ａは、親機ＣＰＵ２０９ａの内部に備えられる態様に限定されるものではなく、親機ＣＰＵ２０９ａから独立させて親機操作部２００の出力側に設けることもできる。
【００３２】
親機Ｉ／Ｆ２１０ａは、子機／親機ラインＬから親機映像処理部２０４ａへの信号伝送路と、親機音声処理部２０５ａ及び子機／親機ラインＬの間の信号伝送路（通話路）と、親機ＣＰＵ２０９ａ及び子機／親機ラインＬの間の信号伝送路とをそれぞれ形成するためのものである。
【００３３】
このように構成された本発明の第１の実施例によるテレビインターホンシステムにおいて、以下、具体的な動作について、図１、図２を参照して説明する。なお、住戸外に居る来訪者が第１の玄関子機１ａの子機操作部１００にて所定の呼出操作を行い、この呼出しを第１の居室親機２ａのモニタ２０１及び親機スピーカ２０３を使用して呼出報知する動作と、第１の玄関子機１ａのカメラ１０１にて撮像・生成された来訪者の映像信号を第１の居室親機２ａのモニタ２０１に出画させる動作と、来訪者が使用する第１の玄関子機１ａの子機マイク１０２及び子機スピーカ１０３と第１の居室親機２ａの親機マイク２０２及び親機スピー２０３との間で音声信号を送受信して通話を成立させる動作はそれぞれ、インターホン通信分野において周知技術であるため、説明は省略する。
【００３４】
当該システムをメンテナンス等するための更新プログラムデータを書換えるにあたって、例えば、メンテナンス業者は、図１、図２に示す第１の玄関子機１ａの子機操作部１００を、前述の呼出操作とは異なる所定のパターン、例えば、１０秒間の一定時間、長押しするような所定の書込起動操作を行う。この操作を検出した子機ＣＰＵ１１０ａは、カメラ１０１、コード読取部１０６ａをそれぞれ駆動させるとともに、データ書込中であることを示す書込中通知信号を生成する。また、子機ＣＰＵ１１０ａにて生成された書込中通知信号は、子機Ｉ／Ｆ１１１ａ、子機／親機ラインＬ、第１の居室親機２ａの親機Ｉ／Ｆ２１０ａを経由して親機ＣＰＵ２０９ａに伝送される。
【００３５】
第１の居室親機２ａの親機ＣＰＵ２０９ａは、第１の玄関子機１ａの子機ＣＰＵ１１０ａから伝送されてきた書込中通知信号を受信すると、表示制御部２０７ａを駆動させ、データ書込中であることの例えば、確認メッセージや絵データ等をモニタ２０１に表示するとともに、操作機能無効部２０８ａを駆動させ、居住者による親機操作部２００の各種操作を非能動とする。ここまでの動作によれば、居住者が住戸内に在室中であっても、この居住者による応答操作や監視モニタ操作等が無効となり、システム業者による住戸外からの更新プログラムデータの書込作業を阻害せずに継続させることができる。
【００３６】
次に、前述のような所定の書込起動操作を行ったメンテナンス業者は、当該システムをメンテナンス等するための更新プログラムデータが含まれた二次元コードを第１の玄関子機１ａのカメラ１０１にて撮像させる。また、コード読取部１０６ａは、カメラ１０１にて撮像された二次元コードを読取り、この読取られた二次元コードに含まれる更新プログラムデータを子機記憶部１０７ａに一時的に記憶させる。
【００３７】
ここで、第１の玄関子機１ａの子機ＣＰＵ１１０ａは、子機記憶部１０７ａに一時的に記憶された更新プログラムデータが自玄関子機用の当該データである場合、子機記憶部１０７ａに書込む一方、第１の居室親機２ａ用の当該データである場合には、子機記憶部１０７ａから読出し、子機Ｉ／Ｆ１１１ａ、子機／親機ラインＬ、第２の居室親機２ａの親機Ｉ／Ｆ２１０ａを経由して親機ＣＰＵ２０９ａに送出することで、この親機ＣＰＵ２０９ａの制御により親機記憶部２０６ａに書込むことができる。
【００３８】
一方、更新プログラムデータのデータ容量が大きく、例えば、分割された当該データが含まれる二次元コードが複数ある場合、前述のメンテナンス業者は、複数の二次元コードを第１の玄関子機１ａのカメラ１０１にて順次撮像させるとともに、子機操作部１００を前述の呼出操作及び書込起動操作とは異なる所定のパターン、例えば、３回の連続押しのような所定のコード結合操作を行う。この操作を検出した子機ＣＰＵ１１０ａは、コード結合部１０８ａを駆動させる。
【００３９】
この制御により、第１の玄関子機１ａのカメラ１０１にて順次撮像され、コード読取部１０６ａにて読取られる複数の二次元コードは、コード結合部１０８ａにて結合化され、結合化された二次元コードに含まれる更新プログラムデータが自玄関子機用の当該データである場合には、子機ＣＰＵ１１０ａの制御により子機記憶部１０７ａに書込まれる一方、第１の居室親機２ａ用の当該データである場合には、子機Ｉ／Ｆ１１１ａ、子機／親機ラインＬ、第２の居室親機２ａの親機Ｉ／Ｆ２１０ａを経由して親機ＣＰＵ２０９ａに伝送されることで、この親機ＣＰＵ２０９ａの制御により親機記憶部２０６ａに書込むことができる。ここまでの動作によれば、データ容量が大きい更新プログラムデータの書込みが容易となる。
【００４０】
次に、前述のような、更新プログラムデータにかかる書込動作が終了すると、第１の居室親機２ａの親機ＣＰＵ２０９ａは、表示制御部２０７ａを制御し、データ書込中であることの報知から書込終了である旨の報知、例えば、確認メッセージや絵データ等に切換えてモニタ２０１に表示させることができるばかりでなく、操作機能無効部２０８ａへの制御を停止することで、居住者による親機操作部２００の各種操作を有効とする。また、親機ＣＰＵ２０９ａは、書込動作が終了したことの書込終了通知信号を生成する。この書込終了通知信号は、前述の書込中通知信号と逆の伝送路を経由して第１の玄関子機１ａの子機ＣＰＵ１１０ａに伝送される。
【００４１】
第１の玄関子機１ａの子機ＣＰＵ１１０ａは、第１の居室親機２ａの親機ＣＰＵ２０９ａから伝送されてきた書込終了通知信号を受信すると、書込終了通知部１０９ａを駆動させ、書込動作が終了した旨の例えば、確認音や音声メッセージ等を子機スピーカ１０３から出力させることができる。ここまでの動作によれば、システム業者は、更新プログラムデータの書込動作が終了したことの確認が容易となり、他物件の書込作業へ迅速に移行できる等、利便性が高められる。
【００４２】
前述までの説明から明らかなように、本発明の第１の実施例によれば、第１の玄関子機１ａのカメラ１０１にて二次元コードを撮像させ、この二次元コードに含まれる更新プログラムデータの書込みを行うことで、居住者が住戸内を不在としているタイミングであっても、住戸外からの書込作業が可能となり、その作業を行う例えば、システム業者にとっては、更新プログラムデータが書込まれる記憶部（子機記憶部１０７ａ、親機記憶部２０６ａ）を備える機器（第１の玄関子機１ａ、第１の居室親機２ａ）を設置場所から取外したり記憶部（子機記憶部１０７ａ、親機記憶部２０６ａ）を取換える必要がないため、利便性が高められる。
【００４３】
次に、本発明の第２の実施例であって、子機／親機ラインＬを経由して接続された第２の玄関子機１ｂ及び第２の居室親機２ｂの具体的な構成について、図３のブロック図を参照して説明する。
【００４４】
図３に示す第２の玄関子機１ｂには、前述の子機操作部１００、カメラ１０１、子機マイク１０２及び子機スピーカ１０３と、子機映像処理部１０４ｂ、子機音声処理部１０５ｂ、子機記憶部１０７ｂ、子機ＣＰＵ１１０ｂ及び子機Ｉ／Ｆ１１１ｂとが備えられている。
【００４５】
この玄関子機１ｂにおいて、子機映像処理部１０４ｂは、カメラ１０１にて生成されフレーム毎に伝送されてくる映像信号について所定の信号処理を行う、例えば、ＦＭ変調や信号増幅を行うとともに、カメラ１０１にて撮像される二次元コードを所定のフォーマットで送出するためのものである。また、子機音声処理部１０５ｂは、子機マイク１０２及び子機スピーカ１０３にて送受信される音声信号について所定の信号処理を行う、例えば、ＦＭ変復調や信号増幅を行うためのものである。
【００４６】
子機記憶部１０７ｂは、第２の居室親機２ｂの後述するコード読取部２１１ｂにて読取られる二次元コードに含まれる更新プログラムデータを、自玄関子機用の当該更新プログラムデータとして書込むためのものであり、例えば、ＲＡＭ、ＥＥＰＲＯＭ等の各種メモリにて構成されている。
【００４７】
子機ＣＰＵ１１０ｂは、当該玄関子機の構成各部を制御するためのものである。また、子機Ｉ／Ｆ１１１ｂは、子機映像処理部１０４ｂから子機／親機ラインＬへの信号伝送路と、子機音声処理部１０５ｂ及び子機／親機ラインＬの間の信号伝送路（通話路）と、子機ＣＰＵ１１０ｂ及び子機／親機ラインＬの間の信号伝送路とをそれぞれ形成するためのものである。
【００４８】
また、同図に示す第２の居室親機２ｂには、前述の親機操作部２００、モニタ２０１、親機マイク２０２及び親機スピーカ２０３と、親機映像処理部２０４ｂ、親機音声処理部２０５ｂ、親機記憶部２０６ｂ、表示制御部２０７ｂ、操作機能無効部２０８ｂ、親機ＣＰＵ２０９ｂ、親機Ｉ／Ｆ２１０ｂ、コード読取部２１１ｂ、コード結合部２１２ｂ及び書込終了通知部２１３ｂとが備えられている。
【００４９】
この居室親機２ｂにおいて、親機映像処理部２０４ｂは、子機／親機ラインＬを経由して第２の玄関子機１ｂからフレーム毎で伝送されてくる映像信号について所定の信号処理を行う、例えば、ＦＭ復調や信号増幅を行い、第２の玄関子機１ｂのカメラ１０１にて生成された映像信号をモニタ２０１に出画させるとともに、同様に第２の玄関子機１ｂから所定のフォーマットで伝送されてくる二次元コードを受信し、コード読取部２１１ｂに送出するためのものである。また、親機音声処理部２０５ｂは、親機マイク２０２及び親機スピーカ２０３にて送受信される音声信号について所定の信号処理を行う、例えば、ＦＭ変復調や信号増幅を行うためのものである。
【００５０】
コード読取部２１１ｂは、親機映像処理部２０４ｂにて受信された二次元コードを読取るためのものである。また、親機記憶部２０６ｂは、コード読取部２１１ｂにて読取られた二次元コードに含まれる更新プログラムデータを一時的に記憶するとともに、自居室親機用の当該更新プログラムデータとして書込むためのものであり、例えば、ＲＡＭ、ＥＥＰＲＯＭ等の各種メモリにて構成されている。また、コード結合部２１２ｂは、コード読取部２１１ｂにて複数の当該二次元コードが読取られているとき、当該コード読取部にて読取られた複数の当該二次元コードを結合化し、結合化された当該二次元コードに含まれる更新プログラムデータを親機記憶部２０６ｂに記憶させるためのものである。さらに、書込終了通知部２１３ｂは、親機記憶部２０６ｂ及び第２の玄関子機１ｂの子機記憶部２０７ｂのうち少なくとも何れか１の当該記憶部への書込動作が終了したことの通知として、例えば、子機スピーカ１０３から確認音や音声メッセージ等を出力させるための書込終了通知信号を生成するものである。
【００５１】
表示制御部２０７ｂは、前述の表示制御部２０７ａと同様な機能として、第２の玄関子機１ｂの子機記憶部１０７ｂ及び親機記憶部２０６ｂのうち少なくとも何れか１の当該記憶部への書込動作が終了するまでの書込動作期間内において、データ書込中であることの報知、例えば、確認メッセージや絵データ等をモニタ２０１に表示させるためのものである。
【００５２】
操作機能無効部２０８ｂは、前述の操作機能無効部２０８ａと同様な機能として、書込動作期間内において親機操作部２００の操作機能を非能動とするためのものである。
【００５３】
親機ＣＰＵ２０９ｂは、当該居室親機の構成各部を制御するためのものである。この親機ＣＰＵ２０９ｂの内部には、前述の操作機能無効部２０８ｂ及びコード結合部２１２ｂが備えられている。なお、操作機能無効部２０８ｂは、親機ＣＰＵ２０９ｂの内部に備えられる態様に限定されるものではなく、親機ＣＰＵ２０９ｂから独立させて親機操作部２００の出力側に設けることもできる。また、コード結合部２１２ｂについても、親機ＣＰＵ２０９ｂの内部に備えられる態様に限定されるものではなく、親機ＣＰＵ２０９ｂから独立させてコード読取部２１１ｂの出力側に設けることもできる。
【００５４】
親機Ｉ／Ｆ２１０ｂは、子機／親機ラインＬから親機映像処理部２０４ｂへの信号伝送路と、親機音声処理部２０５ｂ及び子機／親機ラインＬの間の信号伝送路（通話路）と、親機ＣＰＵ２０９ｂ及び子機／親機ラインＬの間の信号伝送路と、書込終了通知部２１３ｂから子機／親機ラインＬへの信号伝送路とをそれぞれ形成するためのものである。
【００５５】
このように構成された本発明の第２の実施例によるテレビインターホンシステムにおいて、以下、具体的な動作について、図１、図３を参照して説明する。なお、前述の第１の実施例と同様、住戸外に居る来訪者が第２の玄関子機１ｂの子機操作部１００にて所定の呼出操作を行い、この呼出しを第２の居室親機２ｂのモニタ２０１及び親機スピーカ２０３を使用して呼出報知する動作と、第２の玄関子機１ｂのカメラ１０１にて撮像・生成された来訪者の映像信号を第２の居室親機２ｂのモニタ２０１に出画させる動作と、来訪者が使用する第２の玄関子機１ｂの子機マイク１０２及び子機スピーカ１０３と第２の居室親機２ｂの親機マイク２０２及び親機スピー２０３との間で音声信号を送受信して通話を成立させる動作はそれぞれ、インターホン通信分野において周知技術であるため、説明は省略する。
【００５６】
当該システムをメンテナンス等するための更新プログラムデータを書換えるにあたって、例えば、メンテナンス業者は、図１、図３に示す第２の玄関子機１ｂの子機操作部１００を、前述の呼出操作とは異なる所定のパターン、例えば、１０秒間の一定時間、長押しするような所定の書込起動操作を行う。この操作を検出した子機ＣＰＵ１１０ｂは、カメラ１０１、子機映像処理部１０４ｂをそれぞれ駆動させるとともに、データ書込中であることを示す書込中通知信号を生成する。また、子機ＣＰＵ１１０ｂにて生成された書込中通知信号は、子機Ｉ／Ｆ１１１ｂ、子機／親機ラインＬ、第２の居室親機２ｂの親機Ｉ／Ｆ２１０ｂを経由して親機ＣＰＵ２０９ｂに伝送される。
【００５７】
第２の居室親機２ｂの親機ＣＰＵ２０９ｂは、第２の玄関子機１ｂの子機ＣＰＵ１１０ｂから伝送されてきた書込中通知信号を受信すると、親機映像処理部２０４ｂ、コード読取部２１１ｂをそれぞれ駆動させる。また、親機ＣＰＵ２０９ｂは、表示制御部２０７ｂを駆動させ、データ書込中であることの例えば、確認メッセージや絵データ等をモニタ２０１に表示するとともに、操作機能無効部２０８ｂを駆動させ、居住者による親機操作部２００の各種操作を非能動とする。ここまでの動作によれば、居住者が住戸内に在室中であっても、この居住者による応答操作や監視モニタ操作等が無効となり、システム業者による住戸外からの更新プログラムデータの書込作業を阻害せずに継続させることができる。
【００５８】
次に、前述のような所定の書込起動操作を行ったメンテナンス業者は、当該システムをメンテナンス等するための更新プログラムデータが含まれた二次元コードを第２の玄関子機１ｂのカメラ１０１にて撮像させる。このカメラ１０１にて撮像された二次元コードは、親機映像処理部１０４ｂにて所定のフォーマットに処理された後、子機Ｉ／Ｆ１１１ｂ、子機／親機ラインＬ、第２の居室親機２ｂの親機Ｉ／Ｆ２１０ｂ、親機映像処理部２０４ｂを経由してコード読取部２１１ｂに伝送される。また、コード読取部２１１ｂは、第２の玄関子機１ｂから伝送されてきた二次元コードを読取り、この読取られた二次元コードに含まれる更新プログラムデータを親機記憶部２０６ｂに一時的に記憶させる。
【００５９】
ここで、第２の居室親機２ｂの親機ＣＰＵ２０９ｂは、親機記憶部２０６ｂに一時的に記憶された更新プログラムデータが自居室親機用の当該データである場合、親機記憶部２０６ｂに書込む一方、第２の玄関子機１ｂ用の当該データである場合には、親機記憶部２０６ｂから読出し、親機Ｉ／Ｆ２１０ｂ、子機／親機ラインＬ、第２の玄関子機１ｂの子機Ｉ／Ｆ１１１ｂを経由して子機ＣＰＵ１１０ｂに送出することで、この子機ＣＰＵ１１０ｂの制御により子機記憶部１０７ｂに書込むことができる。
【００６０】
一方、更新プログラムデータのデータ容量が大きく、例えば、分割された当該データが含まれる二次元コードが複数ある場合、前述のメンテナンス業者は、複数の二次元コードを第２の玄関子機１ｂのカメラ１０１にて順次撮像させるとともに、子機操作部１００を前述の呼出操作及び書込起動操作とは異なる所定のパターン、例えば、３回の連続押しのような所定のコード結合操作を行う。この操作を検出した子機ＣＰＵ１１０ｂは、コード結合制御信号を生成し、前述の書込中通知信号と同様な経路を介して第２の居室親機２ｂの親機ＣＰＵ２０９ｂに送出する。
【００６１】
第２の居室親機２ｂの親機ＣＰＵ２０９ｂは、第２の玄関子機１ｂの子機ＣＰＵ１１０ｂから伝送されてきたコード結合制御信号を受信すると、コード結合部２１２ｂを駆動させる。この制御により、第２の玄関子機１ｂのカメラ１０１にて順次撮像された後、前述のような伝送路を経由して伝送されてくる複数の二次元コードは、コード読取部２１１ｂにて読取られた後、コード結合部２１２ｂにて結合化され、結合化された二次元コードに含まれる更新プログラムデータが自居室親機用の当該データである場合には、親機ＣＰＵ２０９ｂの制御により親機記憶部２０６ｂに書込まれる一方、第２の玄関子機１ｂ用の当該データである場合には、親機Ｉ／Ｆ２１０ｂ、子機／親機ラインＬ、第２の玄関子機１ｂの子機Ｉ／Ｆ１１１ｂを経由して子機ＣＰＵ１１０ｂに伝送されることで、この子機ＣＰＵ１１０ｂの制御により子機記憶部１０７ｂに書込むことができる。ここまでの動作によれば、データ容量が大きい更新プログラムデータの書込みが容易となる。
【００６２】
次に、前述のような、更新プログラムデータにかかる書込動作が終了すると、第２の居室親機２ｂの親機ＣＰＵ２０９ｂは、表示制御部２０７ｂを制御し、データ書込中であることの報知から書込終了である旨の報知、例えば、確認メッセージや絵データ等に切換えてモニタ２０１に表示させることができるばかりでなく、操作機能無効部２０８ｂへの制御を停止することで、居住者による親機操作部２００の各種操作を有効とする。また、親機ＣＰＵ２０９ｂは、書込終了通知部２１３ｂを制御し、書込動作が終了したことを示す書込終了通知信号を生成させる。この書込終了通知信号は、書込終了通知部２１３ｂから親機Ｉ／Ｆ２１０ｂ、子機／親機ラインＬ、第２の玄関子機１ｂの子機Ｉ／Ｆ１１１ｂを経由して子機ＣＰＵ１１０ｂに伝送される。
【００６３】
第２の玄関子機１ｂの子機ＣＰＵ１１０ｂは、第２の居室親機２ｂの書込終了通知部２１３ｂから伝送されてきた書込終了通知信号を受信すると、書込動作が終了した旨の例えば、確認音や音声メッセージ等を子機スピーカ１０３から出力させることができる。ここまでの動作によれば、システム業者は、更新プログラムデータの書込動作が終了したことの確認が容易となり、他物件の書込作業へ迅速に移行できる等、利便性が高められる。
【００６４】
前述までの説明から明らかなように、本発明の第２の実施例によれば、第２の玄関子機１ｂのカメラ１０１にて二次元コードを撮像させ、この二次元コードに含まれる更新プログラムデータの書込みを行うことで、居住者が住戸内を不在としているタイミングであっても、住戸外からの書込作業が可能となり、その作業を行う例えば、システム業者にとっては、更新プログラムデータが書込まれる記憶部（子機記憶部１０７ｂ、親機記憶部２０６ｂ）を備える機器（第２の玄関子機１ｂ、第２の居室親機２ｂ）を設置場所から取外したり記憶部（子機記憶部１０７ｂ、親機記憶部２０６ｂ）を取換える必要がないため、利便性が高められる。
【００６５】
本発明のテレビインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００６６】
具体的に本発明の実施例によれば、当該システムを（第１、第２の）玄関子機１ａ、１ｂ及び（第１、第２の）居室親機２ａ、２ｂを有する戸建住宅向けに適用したが、この態様に限定されるものではない。
【００６７】
例えば、当該システムをマンション等の集合住宅向けに適用することもできる。この態様によれば、例えば、親機記録部２０６ａ、２０６ｂ及び表示制御部２０７ａ、２０７ｂを、当該システムを制御する制御機や管理室内に設置される管理室親機等に備えることにより、全住戸にかかる更新プログラムデータの書込作業が可能となる。
【符号の説明】
【００６８】
１ａ……第１の玄関子機（玄関子機）
１００……子機操作部
１０１……カメラ
１０２……子機マイク
１０３……子機スピーカ
１０６ａ……コード読取部
１０７ａ……子機記憶部（記憶部）
１０８ａ……コード結合部
１０９ａ……書込終了通知部
１ｂ……第２の玄関子機（玄関子機）
１００……子機操作部
１０１……カメラ
１０２……子機マイク
１０３……子機スピーカ
１０７ｂ……子機記憶部（記憶部）
２ａ……第１の居室親機（居室親機）
２００……親機操作部
２０１……モニタ
２０２……親機マイク
２０３……親機スピーカ
２０６ａ……親機記憶部（記憶部）
２０７ａ……表示制御部
２０８ａ……操作機能無効部
２ｂ……第２の居室親機（居室親機）
２００……親機操作部
２０１……モニタ
２０２……親機マイク
２０３……親機スピーカ
２０６ｂ……親機記憶部（記憶部）
２０７ｂ……表示制御部
２０８ｂ……操作機能無効部
２１１ｂ……コード読取部
２１２ｂ……コード結合部
２１３ｂ……書込終了通知部
【図１】
2013201630.tif 000003
【図２】
2013201630.tif 000004
【図３】
2013201630.tif 000005